(57)【要約】【課題】簡単にスキャナ部等の倍率不良を発見することができる倍率確認方法の提供を目的とする。【解決手段】受光素子に原稿像を照射するための光学系を原稿に対してその副走査方向に相対的に所定ピッチで移動させる光学系移動手段を具備し，上記受光素子から出力される原稿画像に対応する画像データを取得するスキャナ機能を備えた画像処理装置における画像の倍率確認方法において，上記原稿の主走査方向に形成され，上記受光素子の微小画素の配列ピッチの整数倍のピッチからなる主走査方向ジッタパターン，及び／若しくは，上記原稿の副走査方向に形成され，上記副走査方向への光学系の移動ピッチ，或は副走査方向に配列された画素のピッチの整数倍のピッチからなる副走査方向のジッタパターンが形成された基準原稿の画像データを取得することを特徴とする画像処理装置の倍率確認方法。【選択図】図１
2004282185.tif 000002
【特許請求の範囲】
【請求項１】
原稿からの反射光を受光し，所定ピッチで配列された微小画素を具備する受光素子と，該受光素子に原稿像を照射するための光学系を原稿に対してその副走査方向に相対的に所定ピッチで移動させる光学系移動手段とを具備し，上記受光素子から出力される原稿画像に対応する画像データを取得するスキャナ機能を備えた画像処理装置における画像の倍率確認方法において，
上記原稿の主走査方向に形成され，上記受光素子の微小画素の配列ピッチの整数倍のピッチからなる主走査方向ジッタパターン，及び／若しくは，上記原稿の副走査方向に形成され，上記副走査方向への光学系の移動ピッチ，或は副走査方向に配列された画素のピッチの整数倍のピッチからなる副走査方向のジッタパターンが形成された基準原稿の画像データを取得することを特徴とする画像処理装置の倍率確認方法。
【請求項２】
原稿の主走査方向に形成され，上記受光素子の微小画素の配列ピッチの整数倍のピッチからなる主走査方向ジッタパターン，及び／若しくは，上記原稿の副走査方向に形成され，上記副走査方向への光学系の移動ピッチの整数倍のピッチ，或は副走査方向に配列された画素のピッチからなる副走査方向のジッタパターンが形成されてなることを特徴とする倍率確認用基準原稿シート。
【発明の詳細な説明】
【０００１】
【発明の属する技術分野】
本発明は，原稿からの反射光を受光し，原稿の主走査方向に所定ピッチで配列された微小画素を具備する受光素子と，該受光素子に原稿像を照射するための光学系を原稿に対してその副走査方向に相対的に所定ピッチで移動させる光学系移動手段とを具備し，上記受光素子から出力される原稿画像に対応する画像データを取得するスキャナ機能を備えた画像処理装置における画像の倍率確認方法に係り，特に簡単にスキャナ部等の倍率不良を発見することができる倍率確認方法及び，その方法に用いることができる倍率確認用基準原稿シートに関するものである。
【０００２】
【従来の技術】
従来，複写機，ファクシミリ等の画像形成装置，或はスキャナなどを含む画像処理装置では，原稿像を原稿データとして一旦取り込み，その原稿データを一度記憶部に記憶するなどの所定の処理を経て，必要に応じて上記原稿像を再現コピー処理するものである。
このような原稿像の取り込みには，近年，微小画素を所定ピッチで配列した受光素子を用いたものが多い。また，上記受光素子を原稿の副走査方向にこれもまた所定のピッチで原稿に対して相対的に移動させて原稿全体の画像データを取得するようにしている。
上記のように主走査方向の画像取り込みピッチは，上記受光素子の微小画素の配列により決まる。また副走査方向の読み込みピッチは，上記受光素子に原稿像を伝達する光学系の原稿に対する相対的な移動ピッチ（但し受光素子が副走査方向に複数の画素を備えてなる場合には，この副走査方向の画素のピッチ，及び／若しくは，受光素子の副走査方向における配列ピッチを含むピッチ）によって決まる。
【０００３】
【発明が解決しようとする課題】
上記のように主走査方向及び副走査方向のピッチにより原稿読取のピッチが決定されるため，例えば主走査方向における画素の配列ピッチが製造誤差によって狂ってくると，それに応じて取得された原稿像の主走査方向の幅も狂ってくることになる。副走査方向についても画素の配列ピッチに製造上の誤差が入る場合，或はモータの回転斑などに起因して，光学系の移動ピッチに設計値に対するずれが生じると，同様に誤差が生じることがある。
そのため例えば，複写機などの従来の画像処理装置では，出荷時に，図２に示すような主走査方向及び副走査方向に所定幅の長方形の枠１が描かれた基準原稿シート２を原稿として用い，その複写物における上記枠１の主走査方向及び副走査方向の幅Ｘ及びＹを定規などで測定することで，機械が正しい倍率で複写作業を行なっているかどうかを確認している。
しかしながら，この方法では，枠１の縦横の幅を定規などでわざわざ測定する必要があり，手間が掛かる方法であった。
従って本発明が目的とするところは，簡単に目視によって取得画像の倍率が正しいかどうかを確認することの出来る確認方法及びこの確認に用いることのできる基準原稿シートを提供することである。
【０００４】
【課題を解決するための手段】
上記目的を達成するために請求項１に記載された本発明は，
原稿からの反射光を受光し，所定ピッチで配列された微小画素を具備する受光素子と，該受光素子に原稿像を照射するための光学系を原稿に対してその副走査方向に相対的に所定ピッチで移動させる光学系移動手段とを具備し，上記受光素子から出力される原稿画像に対応する画像データを取得するスキャナ機能を備えた画像処理装置における画像の倍率確認方法において，
上記原稿の主走査方向に形成され，上記受光素子の微小画素の配列ピッチの整数倍のピッチからなる主走査方向ジッタパターン，及び／若しくは，上記原稿の副走査方向に形成され，上記副走査方向への上記光学系の移動ピッチ或は副走査方向に配列された画素のピッチの整数倍のピッチからなる副走査方向のジッタパターンが形成された基準原稿の画像データを取得することを特徴とする画像処理装置の倍率確認方法である。
ここで用いることのできる倍率確認用基準原稿シートとしては，請求項２に記載のように，原稿の主走査方向に形成され，上記受光素子の微小画素の配列ピッチの整数倍のピッチからなる主走査方向ジッタパターン，及び／若しくは，上記原稿の副走査方向に形成され，上記副走査方向への上記光学系の移動ピッチ或は副走査方向に配列された画素のピッチの整数倍のピッチからなる副走査方向のジッタパターンが形成されてなることを特徴とする倍率確認用基準原稿シートである。
【０００５】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
まずこの実施形態に係る原稿倍率確認方法を用いることのできる画像形成装置Ａについて説明する。
図３に示すように，この画像形成装置Ａは大別して原稿搬送経路１ａ及び原稿からの反射光を受光する受光素子の一例としてのＣＣＤ１１，原稿を走査する光源及びミラーなどからなる光学系１ｃを含む原稿読取部１と，転写紙搬送経路２ａを含む画像形成部２と，該画像形成部２中に設けられた両面ユニット３と，転写定着処理の終わった転写紙を排出する排紙部４とを具備して構成されている。
【０００６】
一方，上記画像形成装置Ａには図４に示す制御部５を中心とする制御装置Ｂが設けられている。
即ち上記制御部５は中央処理装置ＣＰＵからなりリードオンリーメモリＲＯＭに格納されたプログラムに基づいて画像形成装置Ａ全体を制御する。
上記制御部５の入力部には，上記ＣＣＤ１１，その他原稿搬送経路１ａに設けられた複数のジャム検知センサＤＪＳ−１，ＤＪＳ−２，ＤＪＳ−３…と，転写紙搬送経路２ａに設けられた複数のジャム検知センサＴＪＳ−１，ＴＪＳ−２，ＴＪＳ−３…からの信号が入力されている。
【０００７】
また上記制御部５の出力部には所定のインターフェースを介して，画像形成部２のメインモータＭＭのドライバ６及び画像形成部２の転写紙送りタイミングを決定するタイマを具備してなる転写紙間隔制御部７，原稿搬送経路１ａ経の原稿の送りタイミングを決定するタイマを含む原稿間隔制御部８，更には，前記両面ユニット３内に滞留する転写紙の枚数を制御する両面紙間隔制御部９，前記光学系１ｃを副走査方向に駆動する光学系駆動モータＬＭ（光学系駆動モータの一例）が接続されている。
さらに制御部５には，上記受光素子ＣＣＤ１１により取得された画像データを記憶するメモリ１０が設けられている。
【０００８】
上記のように構成されている複写機Ａでは，上記原稿読取部１で原稿搬送経路１ａに搬送された原稿が，光学系１ｃが原稿の副走査方向に駆動モータＬＭにより所定ピッチでステップ状に移動されること，及びＣＣＤ１１が主走査方向に多数の微小画素を備えていて原稿画像を主走査方向に走査可能であることにより走査され，ＣＣＤ１１によりその画像データが取得される。
【０００９】
図１は，本発明にかかる倍率確認方法の実行に用いられる基準原稿シート１４を示すものであり，原稿の主走査方向に形成され，上記受光素子の微小画素の配列ピッチの整数倍のピッチからなる主走査方向ジッタパターン１２（上下に２列配列されている）と，上記原稿の副走査方向に形成され，上記副走査方向への上記駆動モータＬＭによる上記光学系１ｃの移動ピッチの整数倍のピッチからなる副走査方向のジッタパターン１３（左右に２列配列されている）が形成されてなる基準原稿シートである。
【００１０】
即ち，上記ジッタパターン１２のピッチは，ＣＣＤ１１の画素の設計上のピッチと同一，或はその２倍，３倍などの整数倍に設定されている。
また上記ジッタパターン１３は，ステッピングモータなどよりなる光学系駆動モータＬＭの設計上の駆動ピッチ，或は，ＣＣＤ１１が副走査方向に複数の画素が配列されているものあればこの副走査方向の画素の設計上の配列ピッチと等しいピッチを含むその整数倍のピッチに設定されている。
このような基準原稿シートが正しく原稿搬送経路１ａ上にセットされた状態で複写動作が行なわれるた場合，例えば主走査方向に配列されたＣＣＤ１１の画素のピッチが設計上のピッチと異なる，即ち設計値よりずれている場合には，ＣＣＤの画素の配列と上記基準原稿シート状の上記ジッタパターン１２（これは常に設計どおりのピッチに設定されている）との間で干渉を生じ，いわゆるモアレ縞を生じる。このようなモアレ縞は肉眼で目視できるので，ＣＣＤ１１の画素に問題があることが一目瞭然に確認される。
【００１１】
また副走査方向についても同様であり，前記ステッピングモータなどよりなる光学系駆動モータＬＭによる駆動ピッチ或は，副走査方向に複数配列されたＣＣＤ１１の副走査方向のピッチが設計値（基準原稿シート上のジッタパターン１３のピッチと等しい）に対してずれている場合には，複写物上に副走査方向に形成されたパターンにモアレ縞が生じるので，上記画素の副走査方向のピッチ或は光学系駆動モータＬＭによる駆動ピッチが設計上の値からずれていることが目しよって確認される。
【００１２】
このようなずれによる倍率の誤差は計算により簡単に求められる。
例えばＣＣＤの画素の配置周期と同じ１ドット間隔の黒線と１ドット間隔の白線を交互に配置した，即ち２ドット周期のジッタパターンを読み取った場合に，モアレの周期が３００ドットを１周期として現われた場合を考えると，３００ドット±２ドットの領域を３００ドットで読み取ったことになるので，この時の倍率は以下のように計算される。
（３００÷３０２）×１００＝９９．３４％
（３００÷２９８）×１００＝１００．６７％
こうして計算された倍率が許容範囲を超えていれば，受光素子の交換や，光学系駆動モータの調整などが必要であることが一目瞭然に確認される。
但し上の方法のみでは，上記倍率のずれが縮小方向か，拡大方向かは判断できない。その場合には，原稿上のジッタパターンの周期を±方向に若干ずらした画像を同時に読み込み，そのモアレの周期の差からどちらにずれているかを判断することもできる。
尚上の例では，主走査方向と副走査方向の両方を一度に確認できる確認シートについて説明したが，これは一例であって，主走査方向或は副走査方向のいずれか一方のジッタパターンのみを具備して一方のみについての確認を可能としたものでもよい。
本発明は，上記した複写機に適用される他，スキャナそのもの或はスキャナ機能を備えたＦＡＸ等の画像処理装置全般についても適用可能であることは言うまでもない。
【００１３】
【発明の効果】
以上説明したように，本発明によれば，
原稿からの反射光を受光し，所定ピッチで配列された微小画素を具備する受光素子と，該受光素子に原稿像を照射するための光学系を原稿に対してその副走査方向に相対的に所定ピッチで移動させる光学系移動手段とを具備し，上記受光素子から出力される原稿画像に対応する画像データを取得するスキャナ機能を備えた画像処理装置における画像の倍率確認方法において，
上記原稿の主走査方向に形成され，上記受光素子の微小画素の配列ピッチの整数倍のピッチからなる主走査方向ジッタパターン，及び／若しくは，上記原稿の副走査方向に形成され，上記副走査方向への光学系の移動ピッチ，或は副走査方向に配列された画素のピッチの整数倍のピッチからなる副走査方向のジッタパターンが形成された基準原稿の画像データを取得することを特徴とする画像処理装置の倍率確認方法が提供される。
従って，主走査方向について受光素子の画素の配列に欠陥があれば複写されたジッタパターンにモアレ縞が発生する。モアレ縞は目視で確認できるので，画素の配列に関するずれがきわめて容易に感覚的に確認することが出来る。
副走査方向に生じるずれについても同様である。
ここで用いることのできる倍率確認用原稿シートとしては，請求項２に記載のように，稿の主走査方向に形成され，上記受光素子の微小画素の配列ピッチの整数倍のピッチからなる主走査方向ジッタパターン，及び／若しくは，上記原稿の副走査方向に形成され，上記副走査方向への光学系の移動ピッチの整数倍のピッチ，或は副走査方向に配列された画素のピッチからなる副走査方向のジッタパターンが形成されてなることを特徴とする倍率確認用基準原稿シートが提供される。
このシートを用いれば上記のように簡単に特に目視で主走査方向或は副走査方向に生じた画素或は光学系の移動量のずれを確認することが出来る。
【図面の簡単な説明】
【図１】本発明の実施の形態に係る基準原稿シートを示す平面図。
【図２】従来使用されている基準原稿シートを示す平面図。
【図３】本発明を適用可能な画像形成装置の一例としての複写機の概要を示す概念図。
【図４】上記複写機の制御装置のハードウエア構成を示すブロック図。
【符号の説明】
１…枠
２…基準原稿（従来例）
５…制御部
６…ＭＭドライバ
ＬＭ…光学系駆動モータ
１２，１３…ジッタパターン
１４…倍率確認用原稿シート
【図１】
2004282185.tif 000003
【図２】
2004282185.tif 000004
【図３】
2004282185.tif 000005
【図４】
2004282185.tif 000006